(57)【特許請求の範囲】
【請求項１】
温水槽の下面に開口した複数の散水口から温水槽直下の充填材に温水を散水し、該充填材の表面を流下する温水に外気を直接接触させて温水を冷却する冷水塔であって、充填材を互いに外気の流通空間を隔絶した常時湿式領域と湿式・乾式切替領域とに区分して交互に配置し、該湿式・乾式切替領域を常時湿式領域とは別に散水し得るよう前記湿式・乾式切替領域に連通する全ての散水口を、温水槽内で紆余曲折する仕切板により櫛歯状に区画して互い違いに深く入り込んだ袋小路状の分配通路を有する区画領域と貯水領域のそれぞれに開口させ、前記仕切板により区画された区画領域と貯水領域の複数列の分配通路に連通するよう該各分配通路の並び方向に延びる供給通路上に、該供給通路に沿って延び且つその下面に多数の散水孔を開口した給水ヘッダを配設し、前記各供給通路内における給水ヘッダの温水供給位置と前記各分配通路との間に、前記給水ヘッダから供給される温水を堰き止めて前記各分配通路の並び方向に等配分し得るよう溢流させる堰板を配設したことを特徴とする冷水塔。
【請求項２】
堰板の上端が略水平に形成されていることを特徴とする請求項１に記載の冷水塔。
【請求項３】
堰板が各分配通路の長手方向に適宜な間隔を隔てて複数枚配設されていることを特徴とする請求項２に記載の冷水塔。
【請求項４】
少くとも最も上流側に配置された堰板の給水ヘッダ側に、該給水ヘッダの長手方向に対し略直角な向きに適宜な枚数の副堰板が設けられていることを特徴とする請求項３に記載の冷水塔。
【請求項５】
堰板の上端が給水ヘッダ内を流れる温水の流れ方向に向け上り勾配を成すよう傾斜して形成されていることを特徴とする請求項１に記載の冷水塔。
【請求項６】
堰板の適宜位置に温水を流出する流出孔が開口されていることを特徴とする請求項１に記載の冷水塔。
【発明の詳細な説明】
【０００１】
【発明の属する技術分野】
本発明は、冷水塔に関するものである。
【０００２】
【従来の技術】
図７は従来の冷水塔の一例を示すもので、この冷水塔は、ケーシング１の頂部に設けられた送風機２を有する排気口３と、ケーシング１の外周に形成された外気取入口４と、ケーシング１内の上部における排気口３周囲に設けられた温水槽５と、該温水槽５の下側に配置され且つ温水槽５下面の散水口６から流下させた温水７を送風機２により外気取入口４から取り込んだ外気８と熱交換させて冷却する熱交換部９とを備えており、該熱交換部９は、温水槽５の直下に設けたフィン付きチューブ１０からなる乾式空気加熱部１１と、該乾式空気加熱部１１の下側に配置され且つ例えばシート状の合成樹脂材の表面に凹凸を有した熱交換面材を多数並列に起立させて備えることにより外気８の流通空間を確保した充填材１２とにより構成されている。
【０００３】
尚、図中１３は冷却後の水を回収する底部水槽である。
【０００４】
斯かる冷水塔においては、温水槽５の温水７を散水口６から乾式空気加熱部１１のフィン付きチューブ１０内を通して流下させた後に、その下部の充填材１２に沿わせて流下させ、同時に送風機２により外気取入口４から外気８を吸引して乾式空気加熱部１１及び充填材１２を横方向に流通させることにより前記温水７の冷却を行うようにしている。
【０００５】
このとき、前記充填材１２に沿って流下する温水７は、外気８と直接熱交換されることにより効果的に冷却されるが、一方、充填材１２において温水７と熱交換を行った外気８は、昇温されると共に湿度が略１００％の湿り空気１４となるので、この湿り空気１４をそのまま冷水塔外部に排出すると、外気温度が低い場合に白煙を生じることがある。
【０００６】
このような白煙の発生は、外気を汚染しているかの如き誤解を近隣居住者等に与える結果となり、また、白煙が地上に降りて周囲に霧のように立ちこめることにより視界不良を招く等の不具合があるので、白煙を極力発生させないようにする要求が高まっている。
【０００７】
この為、図示する例においては、温水７を乾式空気加熱部１１のフィン付きチューブ１０内を通して流下させる際に、フィン付きチューブ１０の外周に沿って流通する外気８を乾式で加熱することにより湿度が極めて低い乾き空気１５とし、この乾き空気１５を送風機２によって前記湿り空気１４に混合して排気口３から排出される空気の湿度を低減し、白煙の発生を防止するようにしているのである。
【０００８】
しかしながら、前述した如き従来の冷水塔においては、白煙の発生を防止する為の乾き空気１５を作る為に、フィン付きチューブ１０による専用の乾式空気加熱部１１を設けるようにしている為、構造が複雑化して建築コストが高騰すると共に、フィン付きチューブ１０による間接的な熱交換である為に熱交換効率を高めることができず、従って大きな容量が必要となって乾式空気加熱部１１の構造が大型化し、冷水塔の高さ寸法が増大して冷水塔全体の大型化を招くという問題があった。
【０００９】
そこで、本発明者らは、建築コストの高騰や全体構造の大型化を招くことなく、白煙の発生を防止し得るようにした冷水塔を創案し、これを特願平９−３９０８３号として出願するに至った。
【００１０】
この冷水塔の概要は、図８及び図９に示す通りであり、フィン付きチューブによる専用の乾式空気加熱部を不要とし、温水槽５の下側に配置される熱交換部を、シート状の合成樹脂材の表面に凹凸を付した熱交換面材を多数並列に起立させて上下方向に延びる外気８の流通空間１６を確保した充填材１２により構成しており、互いに外気８の流通空間１６を隔絶した常時湿式領域１７と湿式・乾式切替領域１８とに夫々区分されて交互に配置されている。
【００１１】
一方、前記温水槽５内は、その直下に配置される充填材１２の湿式・乾式切替領域１８を常時湿式領域１７とは別に散水し得るよう湿式・乾式切替領域１８に連通する全ての散水口６を温水槽５内で紆余曲折する仕切板２３により櫛歯状に区画して共通の区画領域２４に開口させるようにしてあり、該区画領域２４と温水槽５内における区画領域２４以外の貯水領域２５とは、前記仕切板２３により互い違いに深く入り込んだ袋小路状に形成される複数列の分配通路２６と、該各分配通路２６に連通して各分配通路２６の並び方向に延びる供給通路２７とを有して形成されている。
【００１２】
また、前記区画領域２４と貯水領域２５とにおける各供給通路２７の夫々の上側には、該各供給通路２７に沿って延び且つその下面に多数の散水孔２８を長手方向に開口した給水ヘッダ２９が夫々配設されており、貯水領域２５側の給水ヘッダ２９の一端には、温水７を供給する温水供給管３０が接続されていると共に、区画領域２４側の給水ヘッダ２９の一端には、前記温水供給管３０から分岐した枝管３１が温水７の分配を適宜に遮断し得るようバルブ３２を介して接続されている。
【００１３】
而して、白煙が発生する虞れが無い時（外気温度が高い時）に、温水供給管３０から貯水領域２５側の給水ヘッダ２９に温水７を供給すると共に、温水供給管３０から枝管３１を介し区画領域２４側の給水ヘッダ２９にも温水７を分配すると、貯水領域２５及び区画領域２４における各供給通路２７に各給水ヘッダ２９の散水孔２８から温水７が給水されるので、前記各供給通路２７の夫々に連通している複数列の分配通路２６に対しても温水７が分配され、充填材１２における常時湿式領域１７と湿式・乾式切替領域１８の両方に散水が行われて充填材１２の全領域で外気８による温水７の直接冷却が行われる。
【００１４】
一方、冬期等の白煙が発生する虞れがある時（外気温度が低い時）に、温水供給管３０から区画領域２４への温水７の分配をバルブ３２を閉じて遮断すると、温水７が散水されている常時湿式領域１７での外気８による温水７の直接冷却と、温水７が散水されていない湿式・乾式切替領域１８を流通する外気８の乾式加熱とが同時に行われ、前記直接冷却によって生じる湿り空気に、乾式加熱によって生じる乾き空気が混合されて白煙の発生が防止される。
【００１５】
従って、このような冷水塔によれば、充填材１２の一部を湿式・乾式切替領域１８として利用することによって、フィン付きチューブによる専用の乾式空気加熱部を不要とすることができ、しかも、温水槽５内を仕切板２３で区画するだけで温水槽５を従来と同じ高さ寸法のまま格別な構造の複雑化を招くことなく実施できるので、白煙の発生を防止し得る冷水塔の建築コストの削減と小型化を図ることができる。
【００１６】
【発明が解決しようとする課題】
しかしながら、前述した既出願の冷水塔においては、温水槽５内が仕切板２３により相互に入り組んだ状態で区画されてしまうので、貯水領域２５及び区画領域２４における各分配通路２６に対し極力均等に温水７が行き亘るように、各分配通路２６に連通して各分配通路２６の並び方向に延びる供給通路２７を形成し、該供給通路２７に沿って延び且つその下面に多数の散水孔２８を長手方向に開口した給水ヘッダ２９により給水を行うように工夫しているわけであるが、給水ヘッダ２９への温水７の導入流量が高い場合には、閉塞されている給水ヘッダ２９の先端側に対し基端側の方が相対的に動圧が大きく作用して静圧が低下し、給水ヘッダ２９の基端側の散水孔２８からの給水量が少なくなり、給水ヘッダ２９の先端側に向かうにつれて徐々に散水孔２８からの給水量が多くなる傾向となるので、供給通路２７の長手方向に給水量の偏りが生じ易くなり、各分配通路２６に対し温水７を良好に等配分することが難しくなるという不具合があった。
【００１７】
この対策としては、給水ヘッダ２９の長手方向における散水孔２８の配置間隔を給水ヘッダ２９の基端側で細かくし且つ先端側で粗くして給水量の均等化を図るよう設計することが考えられるが、このように散水孔２８の配置間隔を変更して給水量の均等化を図り得るようにする設計は非常に手間がかかり、しかも、給水ヘッダ２９への導入流量が変動した場合に全く対応できないという不具合もあった。
【００１８】
本発明は上述の実情に鑑みてなしたもので、温水槽内を仕切板により区画して充填材の一部を湿式・乾式切替領域として利用し得るようにした冷水塔に関し、給水ヘッダによる給水が供給通路の長手方向に不均等に成されても、温水を各分配通路の並び方向に等配分し得るようにすることを目的としている。
【００１９】
【課題を解決するための手段】
本発明は、温水槽の下面に開口した複数の散水口から温水槽直下の充填材に温水を散水し、該充填材の表面を流下する温水に外気を直接接触させて温水を冷却する冷水塔であって、充填材を互いに外気の流通空間を隔絶した常時湿式領域と湿式・乾式切替領域とに区分して交互に配置し、該湿式・乾式切替領域を常時湿式領域とは別に散水し得るよう前記湿式・乾式切替領域に連通する全ての散水口を、温水槽内で紆余曲折する仕切板により櫛歯状に区画して互い違いに深く入り込んだ袋小路状の分配通路を有する区画領域と貯水領域のそれぞれに開口させ、前記仕切板により区画された区画領域と貯水領域の複数列の分配通路に連通するよう該各分配通路の並び方向に延びる供給通路上に、該供給通路に沿って延び且つその下面に多数の散水孔を開口した給水ヘッダを配設し、前記各供給通路内における給水ヘッダの温水供給位置と前記各分配通路との間に、前記給水ヘッダから供給される温水を堰き止めて前記各分配通路の並び方向に等配分し得るよう溢流させる堰板を配設したことを特徴とするものである。
【００２０】
而して、白煙が発生する虞れが無い時（外気温度が高い時）に、給水ヘッダから供給通路に温水を供給して各分配通路を介し貯水領域を温水で満たし、且つ区画領域にも温水を別途供給すると、温水槽下面の散水口から充填材の常時湿式領域と湿式・乾式切替領域の両方に散水が行われて充填材の全領域で外気による温水の直接冷却が効果的に行われる。
【００２１】
一方、白煙が発生する虞れがある時（外気温度が低い時）に、区画領域への温水の供給を遮断すると、温水が散水されている常時湿式領域での外気による温水の直接冷却と、温水が散水されていない湿式・乾式切替領域を流通する外気の乾式加熱とが同時に行われ、前記直接冷却によって生じる湿り空気に、乾式加熱によって生じる乾き空気が混合されて白煙の発生が防止される。
【００２２】
更に、本発明においては、湿式・乾式切替領域に連通する全ての散水口を温水槽内で紆余曲折する仕切板により櫛歯状に区画して共通の区画領域と貯水領域に開口させ、且つ前記仕切板により区画領域及び貯水領域の双方に互い違いに深く入り込んだ袋小路状に分配通路を形成し、区画領域側の分配通路と貯水領域の分配通路に連通するよう該各分配通路の並び方向に延びる給水ヘッダ及び堰板を配設しているので、区画領域及び貯水領域へ温水を供給するにあたり、給水ヘッダの各散水孔からの給水が供給通路の長手方向に不均等に成されたとしても、給水された温水が堰板により堰き止められて溜まり、該堰板の上端から溢流して区画領域と貯水領域の各分配通路の並び方向に等配分されるので、前記供給通路に連通している複数列の分配通路に対し温水が等配分されて各分配通路の奥まで良好に行き亘り、充填材における常時湿式領域、湿式・乾式切替領域に均一性の高い良好な散水を行うことができる。
【００２３】
【００２４】
また、供給通路内に配設される堰板の具体例としては、例えば堰板の上端を略水平に形成したものを採用することが可能であり、このようにすれば、堰板により堰き止められて供給通路の長手方向に水位差を均された温水が、略水平に形成された堰板の上端を全幅に亘り均等に溢流することになるので、溢流した温水は各分配通路の並び方向に等配分される。
【００２５】
この際に、堰板を各分配通路の長手方向に適宜な間隔を隔てて複数枚配設するようにして各堰板の上端を繰り返し溢流させれば、一層確実に温水を等配分することが可能となる。
【００２６】
更に、このようにした場合において、少くとも最も上流側に配置された堰板の給水ヘッダ側に、該給水ヘッダの長手方向に対し略直角な向きに適宜な枚数の副堰板を設けるようにすれば、給水ヘッダによる不均等な給水を要因とした供給通路の長手方向に向かう温水の流れが形成され難くなるので、該温水の流れの影響を受けることなく、堰板の全幅に亘り一様な溢流が安定して成され、より一層確実に温水を等配分することが可能となる。
【００２７】
また、給水ヘッダの各散水孔からの給水が供給通路の長手方向に著しく不均等である場合には、堰板の上端を給水ヘッダ内を流れる温水の流れ方向に向け上り勾配を成すよう傾斜させて形成するようにしても良い。
【００２８】
即ち、一般的に、給水ヘッダへの温水の導入流量が高い場合には、閉塞されている給水ヘッダの先端側に対し基端側の方が相対的に動圧が大きく作用して静圧が低下し、給水ヘッダの基端側の散水孔からの給水量が少なくなり、給水ヘッダの先端側に向かうにつれて徐々に散水孔からの給水量が多くなる傾向となるので、前述したように、堰板の上端を給水ヘッダ内を流れる温水の流れ方向に向け上り勾配を成すよう傾斜させて形成しておけば、給水量の少ない給水ヘッダの基端側で溢流し易くし、給水量の多い給水ヘッダの先端側に向かうにつれて溢流し難くなるよう調整することが可能となり、結果として、堰板の上端から溢流した温水が各分配通路の並び方向に等配分されることになる。
【００２９】
また、必要に応じて、堰板の適宜位置に温水を流出する流出孔を開口するようにしても良く、このようにすれば、補助的に流出孔から温水の一部を流出させることにより、より細かく温水の配分を調整することが可能となる。
【００３０】
【発明の実施の形態】
以下、本発明の実施の形態を図面を参照しつつ説明する。
【００３１】
図１及び図２は本発明を実施する形態の一例を示すもので、図７乃至図９と同一の符号を付した部分は同一物を表わしている。
【００３２】
本形態例における冷水塔は、先に図８及び図９で説明した既出願の冷水塔と略同様に構成されているが、供給通路２７内における給水ヘッダ２９の温水供給位置と前記各分配通路２６との間に、前記給水ヘッダ２９から供給される温水７を堰き止めて前記各分配通路２６の並び方向に等配分し得るよう溢流させる堰板３３を配設した点を特徴としている。
【００３３】
ここで、図示する例では、上端を略水平に形成した堰板３３が採用されており、この堰板３３により堰き止められて供給通路２７の長手方向に水位差を均された温水７が、前記堰板３３の上端を全幅に亘り均等に溢流して各分配通路２６の並び方向に等配分されるようにしてある。
【００３４】
而して、白煙が発生する虞れが無い時（外気温度が高い時）に、温水供給管３０から貯水領域２５側の給水ヘッダ２９に温水７を供給すると共に、温水供給管３０から枝管３１を介し区画領域２４側の給水ヘッダ２９にも温水７を分配すると、貯水領域２５及び区画領域２４における各供給通路２７に各給水ヘッダ２９の各散水孔２８から温水７が給水され、堰板３３により堰き止められて溜まり、これによって、供給通路２７の長手方向に水位差を均された温水７が、前記堰板３３の略水平な上端から溢流して各分配通路の並び方向に等配分されるので、前記各供給通路２７の夫々に連通している複数列の分配通路２６に対し温水７が等配分されて前記各分配通路２６の奥まで良好に行き亘り、充填材１２における常時湿式領域１７と湿式・乾式切替領域１８の両方に均一性の高い良好な散水が行われて充填材１２の全領域で外気８による温水７の直接冷却が効果的に行われる。
【００３５】
一方、冬期等の白煙が発生する虞れがある時（外気温度が低い時）に、温水供給管３０から区画領域２４への温水７の分配をバルブ３２を閉じて遮断すると、温水７が散水されている常時湿式領域１７での外気８による温水７の直接冷却と、温水７が散水されていない湿式・乾式切替領域１８を流通する外気８の乾式加熱とが同時に行われ、前記直接冷却によって生じる湿り空気に、乾式加熱によって生じる乾き空気が混合されて白煙の発生が防止される。
【００３６】
従って、前述した本形態例の冷水塔によれば、給水ヘッダ２９の各散水孔２８からの給水が供給通路２７の長手方向に不均等に成されても、給水された温水７を堰板３３により堰き止めて溜め、供給通路２７の長手方向に水位差を均して堰板３３の上端から溢流させることにより各分配通路２６の並び方向に等配分することができるので、前記供給通路２７に連通している複数列の分配通路２６に対しても温水７を等配分して各分配通路２６の奥まで良好に行き亘らせることができ、これによって、充填材１２における常時湿式領域１７と湿式・乾式切替領域１８の両方で均一性の高い良好な散水を行わしめて外気８による温水７の直接冷却を効果的に実現することができ、しかも、給水ヘッダ２９の散水孔２８の配置間隔を変更して給水量の均等化を図り得るようにするといった手間のかかる設計を不要とし且つ給水ヘッダ２９への導入流量が変動した場合にも常に各分配通路２６への温水７の等配分を実現することができる。
【００３７】
【００３８】
また、供給通路２７内に配設される堰板３３の変形例としては、例えば、図３に模式的に示す如く、上端を略水平に形成した堰板３３を各分配通路２６の長手方向に適宜な間隔を隔てて複数枚配設するようにして各堰板３３の上端を繰り返し溢流させるようにしても良く、このようにすれば、一層確実に温水７を等配分することが可能となる。
【００３９】
更に、このようにした場合において、図４に模式的に示す如く、少くとも最も上流側に配置された堰板３３の給水ヘッダ２９側に、該給水ヘッダ２９の長手方向に対し略直角な向きに適宜な枚数の副堰板３４を設けるようにしても良く、このようにすれば、給水ヘッダ２９による不均等な給水を要因とした供給通路２７の長手方向に向かう温水７の流れが形成され難くなるので、該温水７の流れの影響を受けることなく、堰板３３の全幅に亘り一様な溢流が安定して成され、より一層確実に温水７を等配分することが可能となる。
【００４０】
また、図５に模式的に示す如く、給水ヘッダ２９の各散水孔２８からの給水が供給通路２７の長手方向に著しく不均等である場合には、堰板３３の上端を給水ヘッダ２９内を流れる温水７の流れ方向に向け上り勾配を成すよう傾斜させて形成するようにしても良い。
【００４１】
即ち、一般的に、給水ヘッダ２９への温水７の導入流量が高い場合には、閉塞されている給水ヘッダ２９の先端側に対し基端側の方が相対的に動圧が大きく作用して静圧が低下し、給水ヘッダ２９の基端側の散水孔２８からの給水量が少なくなり、給水ヘッダ２９の先端側に向かうにつれて徐々に散水孔２８からの給水量が多くなる傾向となるので、前述したように、堰板３３の上端を給水ヘッダ２９内を流れる温水７の流れ方向に向け上り勾配を成すよう傾斜させて形成しておけば、給水量の少ない給水ヘッダ２９の基端側で溢流し易くし、給水量の多い給水ヘッダ２９の先端側に向かうにつれて溢流し難くなるよう調整することが可能となり、結果として、堰板３３の上端から溢流した温水７を各分配通路２６の並び方向に等配分させることが可能となる。
【００４２】
また、図６に模式的に示す如く、必要に応じて、堰板３３の適宜位置に温水７を流出する流出孔３５を開口するようにしても良く、このようにすれば、補助的に流出孔３５から温水７の一部を流出させることにより、より細かく温水７の配分を調整することが可能となる。
【００４３】
尚、本発明の冷水塔は、上述の形態例にのみ限定されるものではなく、例えば、堰板を上下方向に高さを位置を調節して取り付けられるようにしておき、必要に応じて堰板の下端との供給通路の底面との間に隙間を形成することにより上側からの温水の溢流と下側からの流出とを併用するようにしても良いこと、その他、本発明の要旨を逸脱しない範囲内において種々変更を加え得ることは勿論である。
【００４４】
【発明の効果】
上記した本発明の冷水塔によれば、下記の如き種々の優れた効果を奏し得る。
【００４５】
（Ｉ）本発明の請求項１に記載の発明によれば、区画領域及び貯水領域へ温水を供給するにあたり、給水ヘッダの各散水孔からの給水が供給通路の長手方向に不均等に成されたとしても、給水された温水を堰板により堰き止めて溜め、該堰板の上端から溢流させることにより各分配通路の並び方向に等配分することができるので、前記供給通路に連通している区画領域及び貯水領域の複数列の分配通路に対して温水を等配分して各分配通路の奥まで良好に行き亘らせることができ、これによって、充填材における常時湿式領域、湿式・乾式切替領域に均一性の高い良好な散水を行わしめて外気による温水の直接冷却を効果的に実現することができ、しかも、給水ヘッダの散水孔の配置間隔を変更して給水量の均等化を図り得るようにするといった手間のかかる設計を不要とし且つ給水ヘッダへの導入流量が変動した場合にも常に各分配通路への温水の等配分を実現することができる。
【００４６】
【００４７】
（ＩＩ）本発明の請求項２に記載の発明によれば、堰板により堰き止められて供給通路の長手方向に水位差を均された温水を、略水平に形成された堰板の上端を全幅に亘り均等に溢流させて各分配通路の並び方向に等配分することができる。
【００４８】
（ＩＩＩ）本発明の請求項３に記載の発明によれば、各堰板の上端を繰り返し溢流させることにより、一層確実な温水の等配分を実現することができる。
【００４９】
（ＩＶ）本発明の請求項４に記載の発明によれば、給水ヘッダによる不均等な給水を要因とした供給通路の長手方向に向かう温水の流れを形成し難くすることができ、該温水の流れの影響を受けることなく、堰板の全幅に亘り一様な溢流が安定して成されるようにして、より一層確実な温水の等配分を実現することができる。
【００５０】
（Ｖ）本発明の請求項５に記載の発明によれば、給水ヘッダの各散水孔からの給水が供給通路の長手方向に著しく不均等である場合に、給水量の少ない給水ヘッダの基端側で溢流し易くし、給水量の多い給水ヘッダの先端側に向かうにつれて溢流し難くなるよう調整することができるので、堰板の上端から溢流した温水を各分配通路の並び方向に等配分することができる。
【００５１】
（ＶＩ）本発明の請求項６に記載の発明によれば、補助的に流出孔から温水の一部を流出させることにより、より細かく温水の配分を調整することができる。
【図面の簡単な説明】
【図１】  本発明を実施する形態の一例を示す斜視図である。
【図２】  図１の温水槽の平面図である。
【図３】  本発明における堰板の第一変形例を示す斜視図である。
【図４】  本発明における堰板の第二変形例を示す斜視図である。
【図５】  本発明における堰板の第三変形例を示す斜視図である。
【図６】  本発明における堰板の第四変形例を示す斜視図である。
【図７】  従来の冷水塔の一例を示す概略図である。
【図８】  従来の冷水塔の別の例を示す斜視図である。
【図９】  図８の温水槽の平面図である。
【符号の説明】
５         温水槽
６         散水口
７         温水
８         外気
１２         充填材
１６         流通空間
１７         常時湿式領域
１８         湿式・乾式切替領域
２３         仕切板
２４         区画領域
２５         貯水領域
２６         分配通路
２７         供給通路
２８         散水孔
２９         給水ヘッダ
３３         堰板
３４         副堰板
３５         流出孔
【図１】
0003978833.tif 000002
【図２】
0003978833.tif 000003
【図３】
0003978833.tif 000004
【図４】
0003978833.tif 000005
【図５】
0003978833.tif 000006
【図６】
0003978833.tif 000007
【図７】
0003978833.tif 000008
【図８】
0003978833.tif 000009
【図９】
0003978833.tif 000010